(57)【要約】【課題】撮影範囲を容易に確認可能とする。【解決手段】実施形態にかかるＸ線ＣＴ装置は、被検体に照射するＸ線を、被検体の体軸方向において所定幅となるコーンビーム状で発生するＸ線発生部と、被検体を透過したＸ線を検出する複数列の検出素子を有する検出部と、被検体の体軸方向における検出部の検出範囲の境界に対応した被検体上の位置へ光を投光する投光部と、を備える。【選択図】図１
2015139534.tif 000002
【特許請求の範囲】
【請求項１】
被検体に照射するＸ線を、前記被検体の体軸方向において所定幅となるコーンビーム状で発生するＸ線発生部と、
前記被検体を透過したＸ線を検出する複数列の検出素子を有する検出部と、
前記被検体の体軸方向における前記検出部の検出範囲の境界を示す光を前記被検体上に投光する投光部と、
を備えるＸ線ＣＴ装置。
【請求項２】
前記投光部は、前記検出部の検出範囲の中心を示す光を前記被検体上に投光する、
請求項１に記載のＸ線ＣＴ装置。
【請求項３】
前記検出範囲の境界を示す光と、前記検出範囲の中心を示す光との投光形態は互いに異なる、
請求項２に記載のＸ線ＣＴ装置。
【請求項４】
前記投光部は、前記検出範囲の境界であり、且つ前記コーンビーム状で発生したＸ線の境界を示す光を前記被検体上に投光する、
請求項１乃至３のいずれか一項に記載のＸ線ＣＴ装置。
【請求項５】
前記投光部は、前記検出範囲の境界であり、且つ前記検出部の出力に基づいて画像を再構成する再構成処理部で画像が再構成される範囲の境界を示す光を前記被検体上に投光する、
請求項１乃至３のいずれか一項に記載のＸ線ＣＴ装置。
【請求項６】
前記投光部は、前記検出範囲の境界に対応し、前記体軸方向と直交する方向に沿ってライン状の光を投光する２つの投光器を備える、
請求項１乃至５のいずれか一項に記載のＸ線ＣＴ装置。
【請求項７】
前記投光部は、ピニオンと、当該ピニオンの回転により前記体軸方向に沿って互いに逆方向に移動する２つのラックとを有するラック・アンド・ピニオン機構を備え、
前記２つの投光器は、前記ラック・アンド・ピニオン機構によって前記体軸方向に沿って互いに逆方向に移動される、
請求項６に記載のＸ線ＣＴ装置。
【請求項８】
前記体軸方向に沿った前記２つの投光器の移動を指示する操作部と、
前記指示に応じて前記ラック・アンド・ピニオン機構を駆動する駆動部と、を更に備え、
前記Ｘ線発生部は、移動が指示された前記２つの投光器の前記体軸方向における間隔に基づいて、前記コーンビーム状で発生するＸ線の前記体軸方向の幅を調整するコリメータ部を備える、
請求項７に記載のＸ線ＣＴ装置。
【請求項９】
被検体の体軸方向において所定幅となるコーンビーム状で発生し、前記被検体を透過したＸ線を検出する検出部の前記体軸方向における検出範囲の境界を示す光を前記被検体上に投光する投光器。
【発明の詳細な説明】
【技術分野】
【０００１】
本発明の実施形態は、Ｘ線ＣＴ装置及び投光器に関する。
【背景技術】
【０００２】
近年、被検体内部の情報を架台装置で収集し、この収集された情報に基づいて被検体内部を画像化して医用画像を生成するＸ線ＣＴ装置（computed  tomography：コンピュータ断層撮影装置）がある。このＸ線ＣＴ装置では、撮影を行う際に撮影範囲（FOV:Field  Of  View）の位置決めを行っている。コンベンショナルスキャン（ノンヘリカルスキャン）の場合は、断層面の中心位置を示す光を投光器で被検体上に投光して断層撮影の位置決めを行っている。また、ヘリカルスキャンの場合は、撮影範囲が広いことから、被検体の体軸方向における所定範囲のＸ線透視（スキャノ撮影）により得られるスキャノ像上に撮影の開始位置及び終了位置を指定して撮影範囲の位置決めを行っている。
【０００３】
しかしながら、マルチスライス検出器の登場によって１回のコンベンショナルスキャンにおける撮影範囲が広がり、例えば１６ｃｍ程度の幅を持ったボリュームデータが１回のコンベンショナルスキャンで得られるようになったことから、従来の断層面の中心位置を示す光だけではコンベンショナルスキャンにおける撮影範囲を容易に確認できない場合があった。また、スキャノ撮影を用いて撮影範囲を確認する場合には、従来のコンベンショナルスキャンにおける位置決めに無かったスキャノ撮影による撮影工数や被曝の増加を生じることとなる。
【先行技術文献】
【特許文献】
【０００４】
【特許文献１】特開２０１２−１８７３２２号公報
【発明の概要】
【発明が解決しようとする課題】
【０００５】
本発明が解決しようとする課題は、撮影範囲を容易に確認可能とするＸ線ＣＴ装置及び投光器を提供することである。
【課題を解決するための手段】
【０００６】
一実施形態にかかるＸ線ＣＴ装置は、Ｘ線発生部と、検出部と、投光部とを備える。Ｘ線発生部は、被検体に照射するＸ線を、前記被検体の体軸方向において所定幅となるコーンビーム状で発生する。検出部は、前記被検体を透過したＸ線を検出する複数列の検出素子を有する。投光部は、前記被検体の体軸方向における前記検出部の検出範囲の境界に対応した前記被検体上の位置へ光を投光する。
【図面の簡単な説明】
【０００７】
【図１】図１は、実施形態にかかるＸ線ＣＴ装置の構成を例示する図である。
【図２】図２は、架台装置の内部構造の概要を例示する斜視図である。
【図３】図３は、投光器の三面図である。
【図４】図４は、投光器の斜視図である。
【図５】図５は、被検体における撮影範囲の確認を説明するための図である。
【図６】図６は、Ｘ線ＣＴ装置の動作の一例を示すフローチャートである。
【図７】図７は、変形例にかかる投光器の斜視図である。
【図８】図８は、投光器による被検体への投光の一例を説明する図である。
【図９】図９は、投光器による被検体への投光の一例を説明する図である。
【発明を実施するための形態】
【０００８】
以下、添付図面を参照して、実施形態にかかるＸ線ＣＴ装置及び投光器を詳細に説明する。なお、以下の説明において、同様の構成要素には共通の符号を付与するとともに、重複する説明を省略する。
【０００９】
図１は、実施形態にかかるＸ線ＣＴ装置１の構成を例示する図である。図１に示すように、Ｘ線ＣＴ装置１は、架台装置１０と、寝台装置２０と、コンソール装置３０とを備える。
【００１０】
架台装置１０は、被検体ＰにＸ線を照射して投影データを収集する装置であり、架台制御部１１と、Ｘ線発生装置１２と、Ｘ線検出器１３と、データ収集部１４と、回転フレーム１５と、操作コンソール１６と、投光器１７とを有する。
【００１１】
回転フレーム１５は、Ｘ線発生装置１２とＸ線検出器１３とを被検体Ｐを挟んで対向するように支持し、後述する架台駆動部１１ｃによって被検体Ｐを中心とした円軌道にて高速に回転する円環状のフレームである。なお、回転フレーム１５は、後述する投光器１７をＸ線発生装置１２とは異なる位置で支持する。
【００１２】
図２は、架台装置１０の内部構造の概要を例示する斜視図であり、より具体的には、架台装置１０の内部において回転フレーム１５により支持されるＸ線発生装置１２、Ｘ線検出器１３、投光器１７の位置関係を例示する図である。図２に示すように、投光器１７は、Ｘ線発生装置１２とは違う位置であり、例えばＸ線発生装置１２が被検体Ｐの直上となる位置にある場合に被検体Ｐに対して斜め上方となる位置で支持される。
【００１３】
Ｘ線発生装置１２は、被検体ＰにＸ線を照射する装置であり、Ｘ線管球１２ａと、ウェッジ１２ｂと、コリメータ１２ｃとを有する。
【００１４】
Ｘ線管球１２ａは、後述する高電圧発生部１１ａにより供給される高電圧により被検体Ｐの体軸方向（図１に示すＺ軸方向）に沿って円錐状、角錐状の広がりを有するコーンビーム状でＸ線を発生する真空管であり、回転フレーム１５の回転にともなって、コーンビーム状のＸ線を被検体Ｐに対して曝射する。
【００１５】
ウェッジ１２ｂは、Ｘ線管球１２ａから曝射されたＸ線のＸ線量を調節するためのＸ線フィルタである。コリメータ１２ｃは、後述するコリメータ調整部１１ｂの制御により、ウェッジ１２ｂによってＸ線量が調節されたＸ線の照射範囲（体軸方向の幅）を絞り込むためのスリットである。
【００１６】
Ｘ線検出器１３は、Ｘ線発生装置１２から照射され被検体Ｐを透過したＸ線の強度分布を示すＸ線強度分布データを検出する２次元アレイ型検出器（面検出器）であり、チャンネル方向（図１に示すＹ軸方向）に配列されたＸ線検出素子である検出素子列が被検体Ｐの体軸方向（スライス方向であり、図１に示すＺ軸方向）に沿って複数列配列されている。例えば、本実施形態では、Ｘ線検出器１３は、被検体Ｐの体軸方向に沿って３２０列に配列された検出素子列を有し、被検体Ｐを透過したＸ線強度分布データを広範囲（例えば最大で１６ｃｍ幅）に検出する。
【００１７】
なお、Ｘ線検出器１３が、被検体Ｐを透過したＸ線強度分布データを検出する範囲（体軸方向の幅）のことを検出範囲と呼ぶ。この検出範囲は、最大で被検体Ｐの体軸方向に配列された検出素子列の全てで検出が可能な範囲となる。また、検出素子列の全てで検出が可能な範囲よりもコリメータ１２ｃによってＸ線の照射範囲が絞り込まれる場合には、そのＸ線の照射範囲がＸ線検出器１３の検出範囲となる。
【００１８】
データ収集部１４は、ＤＡＳ（data  acquisition  system）であり、Ｘ線検出器１３により検出されたＸ線強度分布データに対して、増幅処理やＡ／Ｄ変換処理などを行なって投影データを生成し、生成した投影データを後述するコンソール装置３０に送信する。
【００１９】
操作コンソール１６は、架台装置１０の開口部分の両脇や前後などに設けられ、操作者が架台装置１０の両脇などから被検体Ｐの様子を確認しながら行う操作を受け付ける（図５参照）。具体的には、操作コンソール１６は、投光器１７の点灯（投光）、消灯（無投光）の指示、Ｘ線検出器１３の検出範囲の境界であり、体軸方向における上限及び下限を示す投光器１７の投光位置の調整（幅調整）の指示、天板２２の移動、停止、自動送りなどの指示を操作者より受け付ける。
【００２０】
投光器１７は、被検体Ｐの体軸方向におけるＸ線検出器１３の検出範囲の境界を示す光を被検体Ｐ上に投光する。図２の例では、回転フレーム１５の内部に設けられた部材上に、投光する方向を回転フレーム１５の中心方向（上方から斜め下）に向けて設置されている。なお、投光器１７は架台装置１０の外部（例えば撮影室内の壁など）に設置されていてもよい。
【００２１】
具体的には、投光器１７は、体軸方向と直交する方向に沿ってライン状の光を投光する２つの光源により、Ｘ線検出器１３の検出範囲の境界であり、体軸方向における上限及び下限を示す２つのライン状の光を投光する。このようにＸ線検出器１３の検出範囲の境界を光で示すことで、操作者はコンベンショナルスキャンにおける撮影範囲を容易に確認可能となる。なお、本実施形態では、Ｘ線検出器１３の検出範囲の境界を示す２つのライン状の光を投光する構成を例示するが、投光器１７は、Ｘ線検出器１３の検出範囲と同等部分を面で照らすように、点光源から照射される光の中で、不要な方向の光を遮蔽板などで遮蔽する構成であってよい。
【００２２】
図３は、投光器１７の三面図（正面図、平面図、右側面図）である。図４は、投光器１７の斜視図である。なお投光器１７の正面は、被検体Ｐに向けた方向であり、正面図における上下方向は被検体Ｐの体軸方向と一致しているものとする。
【００２３】
図３、４に示すように、投光器１７は、体軸方向と直交する方向（体軸断面）に沿ってライン状の光線Ｌ２、Ｌ３を投光するレーザ投光器１３１、１３２を備える。具体的には、レーザ投光器１３１、１３２は、図３の平面図に示すように、スリットやポリゴンミラーによって体軸断面に平行な扇状の光を投光する。
【００２４】
このレーザ投光器１３１、１３２は、モータ１１４により回転駆動するピニオン１１２と、ピニオン１１２の回転により体軸方向に沿って互いに逆方向に移動する２つのラック１２１とによるラック・アンド・ピニオン機構によって、体軸方向に沿って互いに逆方向に移動される。すなわち、レーザ投光器１３１とレーザ投光器１３２との体軸方向における幅Ｈであり、被検体Ｐ上に投光される光線Ｌ２、Ｌ３の幅Ｈ（図５参照）は、ラック・アンド・ピニオン機構により調整される。なお、ラック・アンド・ピニオン機構による幅Ｈの調整範囲は、最大ではＸ線検出器１３の検出範囲の最大幅と同じとし、最小では０としてレーザ投光器１３１、１３２と中心軸１１１とが横並びとなるものであってよい。
【００２５】
具体的には、投光器１７は、回転フレーム１５自身又は回転フレーム１５内の部材にネジ止めする穴１０２が設けられた板材１０１と、この板材１０１と接合し、上述したラック・アンド・ピニオン機構が設けられる板材１１０とを有する。板材１１０には、中心軸１１１においてステッピングモータ等のモータ１１４によって回転駆動するピニオン１１２が設けられている。中心軸１１１の延長方向はＸ線検出器１３の検出範囲の中心に合うように予め設計されており、この中心軸１１１の内側の空洞部分にはレーザ投光器１３１、１３２と同様なレーザ投光器を設置してもよい。中心軸１１１の内側にレーザ投光器を設置する場合は、図３の平面図に示すように、Ｘ線検出器１３の検出範囲の中心を示す光線Ｌ１を被検体Ｐ上に投光できる。
【００２６】
なお、中心軸１１１の内側に設置するレーザ投光器は、Ｘ線検出器１３の検出範囲の中心を示す点光源であってもよい。また、中心軸１１１の延長方向をＸ線検出器１３の検出範囲の中心に合うようにすることで、幅Ｈを０としたところでは、光線Ｌ２、Ｌ３はＸ線検出器１３の検出範囲の中心を示すこととなる。
【００２７】
この時、光線Ｌ１と、光線Ｌ２、Ｌ３との投光形態は互いに異なるものであることが望ましい。例えば、光線Ｌ１の色を赤とし、光線Ｌ２、Ｌ３の色を緑としてよい。また、ライン状に走査する際に、光線Ｌ１を常時点灯させるパターンとし、光線Ｌ２、Ｌ３を点滅させるパターンとしてもよい。このように、光線Ｌ１と、光線Ｌ２、Ｌ３との投光形態を互いに異なるものとすることで、操作者はその識別を容易に行うことが可能となる。
【００２８】
また、板材１１０には、左右の両端近傍に上下方向に伸びるスライド溝１１３が設けられており、このスライド溝１１３によって２つの板材１２０が上下方向にスライド可能に接続されている。２つの板材１２０にはピニオン１１２と嵌合するラック１２１が設けられており、ピニオン１１２の回転により体軸方向に沿って互いに逆方向に移動する。また、２つの板材１２０の外側には、留め具１２２とビス１２３とによりレーザ投光器１３１、１３２を支持する支持部材１２４が固定される。
【００２９】
図５は、被検体Ｐにおける撮影範囲の確認を説明するための図である。図５に示すように、Ｘ線ＣＴ装置１の操作者は被検体Ｐ上の光線Ｌ２、Ｌ３による幅Ｈをもとに、コンベンショナルスキャンにおける撮影範囲を容易に確認することができる。例えば、操作者による操作コンソール１６の操作によって、Ｘ線検出器１３の検出範囲の最大幅となるように幅Ｈを調整することで、Ｘ線検出器１３の検出範囲（撮影範囲）が最大幅である場合の撮影部位を容易に確認できる。
【００３０】
架台制御部１１は、後述するスキャン制御部３３の制御のもと、架台装置１０の動作を制御する装置であり、高電圧発生部１１ａと、コリメータ調整部１１ｂと、架台駆動部１１ｃと、投光器駆動部１１ｄとを有する。
【００３１】
高電圧発生部１１ａは、Ｘ線管球１２ａに高電圧を供給する装置である。なお、高電圧発生部１１ａは、架台装置１０とは別に、撮影室内に設置されてもよい。コリメータ調整部１１ｂは、コリメータ１２ｃの開口度および位置を調整することによりＸ線発生装置１２から被検体Ｐに照射されるＸ線の照射範囲を調整する装置である。例えば、コリメータ調整部１１ｂは、コリメータ１２ｃの開口度を調整することにより、Ｘ線の照射範囲（コーン角）を狭めて被検体ＰにＸ線を照射する。なお、コリメータ調整部１１ｂは、レーザ投光器１３１、１３２の幅Ｈに合わせて、コリメータ１２ｃの開口度を設定する（詳細は後述する）。
【００３２】
架台駆動部１１ｃは、回転フレーム１５を回転駆動させることによって、被検体Ｐを中心とした円軌道上でＸ線発生装置１２とＸ線検出器１３とを旋回させる。
【００３３】
投光器駆動部１１ｄは、操作コンソール１６により受け付けた指示をもとに、投光器１７の駆動を制御する。具体的には、投光器駆動部１１ｄは、投光器１７の点灯、消灯の指示をもとに、投光器１７における投光のＯＮ／ＯＦＦを行う。また、投光器駆動部１１ｄは、投光器１７の投光位置の調整指示をもとに、投光器１７のモータ１１４を駆動する。例えば、被検体Ｐ上に投光される光線Ｌ２、Ｌ３の幅Ｈを広くする指示を受け付けた場合、投光器駆動部１１ｄは、ピニオン１１２を反時計回りに回転させるようにモータ１１４を駆動する。逆に、被検体Ｐ上に投光される光線Ｌ２、Ｌ３の幅Ｈを狭くする指示を受け付けた場合、投光器駆動部１１ｄは、ピニオン１１２を時計回りに回転させるようにモータ１１４を駆動する。
【００３４】
寝台装置２０は、被検体Ｐを載せる装置であり、天板２２と、寝台駆動装置２１とを有する。天板２２は、被検体Ｐが載置される板である。寝台駆動装置２１は、操作コンソール１６による指示や、後述するスキャン制御部３３の制御のもと、天板２２をＺ軸方向へ移動することにより、被検体Ｐを回転フレーム１５内に移動させる。
【００３５】
コンソール装置３０は、操作者によるＸ線ＣＴ装置１の操作を受け付けるとともに、架台装置１０によって収集された投影データから被検体Ｐの内部形態を表すＣＴ画像を再構成する装置である。コンソール装置３０は、入力装置３１と、表示装置３２と、スキャン制御部３３と、前処理部３４と、投影データ記憶部３５と、画像再構成処理部３６と、画像記憶部３７と、システム制御部３８とを有する。
【００３６】
入力装置３１は、Ｘ線ＣＴ装置１の操作者が各種指示や各種設定の入力に用いるマウスやキーボードなどを有し、操作者から受け付けた指示や設定の情報を、システム制御部３８に転送する。
【００３７】
表示装置３２は、操作者によって参照されるモニタであり、システム制御部３８による制御のもと、ＣＴ画像などを操作者に表示したり、入力装置３１を介して操作者から各種設定を受け付けるためのＧＵＩ（Graphical  User  Interface）を表示したりする。
【００３８】
前処理部３４は、データ収集部１４によって生成された投影データに対して、対数変換処理、オフセット補正、感度補正、ビームハードニング補正などの補正処理を行なう。
【００３９】
投影データ記憶部３５は、前処理部３４によって補正処理された投影データを記憶する。なお、以下では、投影データ記憶部３５が記憶する「補正処理された投影データ」を「補正済み投影データ」と記す。
【００４０】
画像再構成処理部３６は、投影データ記憶部３５が記憶する補正済み投影データを逆投影処理することでＣＴ画像を再構成する。画像記憶部３７は、画像再構成処理部３６が再構成したＣＴ画像を記憶する。
【００４１】
スキャン制御部３３は、システム制御部３８のもと、架台制御部１１、データ収集部１４および寝台駆動装置２１の動作を制御する。具体的には、スキャン制御部３３は、回転フレーム１５を回転させながら、Ｘ線発生装置１２からＸ線を連続的、又は、間欠的に照射させることで、Ｘ線スキャンを実行させる。例えば、スキャン制御部３３は、天板２２を移動させながら回転フレーム１５を連続回転させて撮影を行なうヘリカルスキャンや、被検体Ｐの位置を固定したままで回転フレーム１５を１回転または連続回転させて撮影を行なうコンベンショナルスキャンを実行させる。
【００４２】
システム制御部３８は、架台装置１０、寝台装置２０およびコンソール装置３０の動作を制御することによって、Ｘ線ＣＴ装置１の全体制御を行う。具体的には、システム制御部３８は、スキャン制御部３３を制御することで、架台装置１０及び寝台装置２０によるスキャン（コンベンショナルスキャン、ヘリカルスキャン）を制御する。また、システム制御部３８は、前処理部３４や、画像再構成処理部３６を制御することで、コンソール装置３０における画像処理を制御する。また、システム制御部３８は、画像記憶部３７が記憶する各種画像を、表示装置３２に表示するように制御する。
【００４３】
ここで、操作者が操作コンソール１６により投光器１７の投光位置の調整（幅調整）を行い、被検体Ｐ上の光線Ｌ２、Ｌ３による幅Ｈをもとに、コンベンショナルスキャンにおける撮影範囲を確認した後に、被検体Ｐの撮影（コンベンショナルスキャン）を行う場合のＸ線ＣＴ装置１の動作を説明する。
【００４４】
図６は、Ｘ線ＣＴ装置１の動作の一例を示すフローチャートである。図６に示すように、操作コンソール１６では操作者の操作（投光器１７の投光位置の調整指示）を受け付けて（Ｓ１０）、投光器駆動部１１ｄは、投光器１７の投光位置の調整指示をもとに、投光器１７のモータ１１４を駆動する（Ｓ１１）。これにより、操作者は、被検体Ｐ上の光線Ｌ２、Ｌ３を確認しながら所望の撮影範囲（幅Ｈ）を設定する。
【００４５】
次いで、コリメータ調整部１１ｂは、撮影範囲として設定された幅Ｈに基づいて、幅Ｈに対応したコリメータ１２ｃのスリット幅を演算する（Ｓ１２）。具体的には、投光器１７におけるゼロ点（例えばレーザ投光器１３１、１３２とを横並びとする位置）からのモータ１１４の駆動量（投光器駆動量）と、その投光器駆動量での幅Ｈに対応するスリット幅との関係が記述されたテーブルデータＤ１を参照し、投光位置の調整指示による投光器駆動量に連動してスリット幅を算出してよい。また、エンコーダなどで幅Ｈを検出し、幅Ｈとスリット幅との関係が記述されたテーブルデータを参照することで、スリット幅を演算してもよい。
【００４６】
次いで、コリメータ調整部１１ｂは、Ｓ１２により演算したスリット幅をコンベンショナルスキャンにおけるスリット幅として設定する（Ｓ１３）。これにより、コンベンショナルスキャンでは、操作者が所望する撮影範囲での撮影が行われる。次いで、スキャン制御部３３の制御のもと、被検体Ｐに対する撮影（コンベンショナルスキャン）が行われ（Ｓ１４）、画像再構成処理部３６によるＣＴ画像の再構成と、表示装置３２によるＣＴ画像の表示が行われる（Ｓ１５）。
【００４７】
なお、Ｓ１３におけるスリット幅の設定は、あらかじめ設定されたスキャン計画（ＥＰ（Expert  Plan）：エキスパートプラン）に含まれるコンベンショナルスキャンに反映してもよい。このようにスキャン計画に反映した場合は、各種条件があらかじめ設定されたスキャン計画の中からコンベンショナルスキャンを含むスキャン計画を入力装置３１などで選んだ際に、操作者が所望する撮影範囲でのコンベンショナルスキャンが行われることとなる。
【００４８】
（変形例）
次に、上述した実施形態の変形例として、上述した投光器１７におけるレーザ投光器１３１、１３２の体軸方向における幅Ｈであり、被検体Ｐ上に投光される光線Ｌ２、Ｌ３の幅Ｈを固定長とする場合を説明する。
【００４９】
図７は、変形例にかかる投光器１７ａの斜視図である。図７に示すように、投光器１７ａでは、留め具１２５により板材１２０を板材１１０に固定する構成である。これにより、レーザ投光器１３１、１３２の体軸方向における幅Ｈは固定長となる。
【００５０】
なお、この変形例では、レーザ投光器１３１、レーザ投光器１３２による光線Ｌ２、Ｌ３がＸ線検出器１３の検出範囲の最大幅を示すような幅Ｈで固定されることが好ましい。この場合、操作者は、投光器１７ａのレーザ投光器１３１、１３２より投光される光線Ｌ２、Ｌ３により、Ｘ線検出器１３の検出範囲の最大幅を容易に確認できる。
【００５１】
なお、Ｘ線検出器１３の検出範囲を最大とするように、コリメータ１２ｃのスリットを体軸方向に広くした場合には、Ｘ線管球１２ａの幅による光路長の差異が樽形状の歪としてコーンビーム状のＸ線の照射面に現れることとなる（逆にコリメータ１２ｃのスリットを体軸方向に狭くした場合には糸巻き形状の歪として現れる）。したがって、レーザ投光器１３１、１３２におけるスリット形状は、コリメータ１２ｃでスリットを体軸方向に広くした場合に生じる樽形状の歪に合わせたものであってよい。
【００５２】
図８は、投光器１７ａによる被検体Ｐへの投光の一例を説明する図である。レーザ投光器１３１、１３２におけるスリット形状を上述した樽形状の歪に合わせて設計することで、図８に示すように、被検体Ｐに照射されるコーンビーム状のＸ線の境界に沿った光線Ｌ２ａ、Ｌ３ａを確認することができる。
【００５３】
また、Ｘ線検出器１３の検出範囲を最大とするようにスライス厚（体軸方向の幅）を広くした場合は、Ｘ線検出器１３の検出範囲の中心と、体軸方向の上下における周辺とにおいて、画像再構成処理部３６で再構成されるＣＴ画像の体軸断面の長さの差が大きくなる。これは、ＣＴ画像を再構成するためのデータが周辺部分では不足して、再構成の範囲が狭くなるためであり、被検体Ｐの上面から見た場合はＸ線検出器１３の検出中心で長く、周辺で短くなる台形を合わせた形となる。したがって、レーザ投光器１３１、１３２におけるスリット形状は、上述した台形に合わせたものであってよい。
【００５４】
図９は、投光器１７ａによる被検体Ｐへの投光の一例を説明する図である。レーザ投光器１３１、１３２におけるスリット形状を上述した台形に合わせた形に設計することで、図９に示すように、被検体Ｐに照射される光線Ｌ２ｂ、Ｌ３ｂを確認することで、コンベンショナルスキャンによってＣＴ画像が再構成される範囲を容易に確認できる。
【００５５】
以上説明した少なくともひとつの実施形態によれば、撮影範囲を容易に確認可能とすることができる。
【００５６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１…Ｘ線ＣＴ装置、１０…架台装置、１１…架台制御部、１１ａ…高電圧発生部、１１ｂ…コリメータ調整部、１１ｃ…架台駆動部、１１ｄ…投光器駆動部、１２…Ｘ線発生装置、１２ａ…Ｘ線管球、１２ｂ…ウェッジ、１２ｃ…コリメータ、１３…Ｘ線検出器、１４…データ収集部、１５…回転フレーム、１６…操作コンソール、１７、１７ａ…投光器、２０…寝台装置、２１…寝台駆動装置、２２…天板、３０…コンソール装置、３１…入力装置、３２…表示装置、３３…スキャン制御部、３４…前処理部、３５…投影データ記憶部、３６…画像再構成処理部、３７…画像記憶部、３８…システム制御部、１０１、１１０、１２０…板材、１０２…穴、１１１…中心軸、１１２…ピニオン、１１３…スライド溝、１１４…モータ、１２１…ラック、１２２、１２５…留め具、１２３…ビス、１２４…支持部材、１３１、１３２…レーザ投光器、Ｄ１…テーブルデータ、Ｈ…幅、Ｌ１、Ｌ２、Ｌ２ａ、Ｌ２ｂ、Ｌ３、Ｌ３ａ、Ｌ３ｂ…光線、Ｐ…被検体
【図１】
2015139534.tif 000003
【図２】
2015139534.tif 000004
【図３】
2015139534.tif 000005
【図４】
2015139534.tif 000006
【図５】
2015139534.tif 000007
【図６】
2015139534.tif 000008
【図７】
2015139534.tif 000009
【図８】
2015139534.tif 000010
【図９】
2015139534.tif 000011